(57)【要約】  【構成】  ＣＰＵ(26)は、予約された放送コンテンツを識別する予約コンテンツ識別ガイドをテーブル(r3)に記述し、記述された予約コンテンツ識別ガイドにユーザ名を割り当てる。この割り当て処理は、複数のカラーボタン(32a,32b,…)のいずれかを押下する操作に基づく。また、割り当てられたユーザ名を削除操作に応答して削除し、この削除処理によってユーザ名の割り当てが失われた予約コンテンツ識別ガイドをテーブルから削除する。そして、テーブルに記述された予約コンテンツ識別ガイドに従って放送コンテンツを記録媒体(22d)に記録する。リストキー(32e)が押下されると、テーブルに記述された予約コンテンツ識別ガイドをユーザ名毎に出力し、再びリストキーが押下されると、記録された放送コンテンツを識別する記録コンテンツ識別ガイドをこれに対応する予約コンテンツ識別ガイドに割り当てられたユーザ名毎に出力する。  【効果】  操作性が向上する。【選択図】  図１
2007243847.tif 000002
【特許請求の範囲】
【請求項１】
予約された放送コンテンツを識別する予約コンテンツ識別ガイドをテーブルに記述する記述手段、
前記テーブルに記述された予約コンテンツ識別ガイドにユーザ名を割り当てる割り当て手段、
前記割り当て手段によって割り当てられたユーザ名を第１削除操作に応答して削除する第１削除手段、
前記第１削除手段の削除処理によってユーザ名の割り当てが失われた予約コンテンツ識別ガイドを前記テーブルから削除する第２削除手段、
前記テーブルに記述された予約コンテンツ識別ガイドに従って放送コンテンツを記録媒体に記録する記録手段、
前記テーブルに記述された予約コンテンツ識別ガイドをユーザ名毎に出力する第１出力手段、および
前記記録媒体に記録された放送コンテンツを識別する記録コンテンツ識別ガイドをこれに対応する予約コンテンツ識別ガイドに割り当てられたユーザ名毎に出力する第２出力手段を備える、コンテンツ処理装置。
【請求項２】
前記テーブルに記述された予約コンテンツ識別ガイドを前記記録手段の記録処理に応答して前記記録コンテンツ識別ガイドに変換する変換手段をさらに備える、請求項１記載のコンテンツ処理装置。
【請求項３】
前記割り当て手段によって割り当てられたユーザ名を前記記録手段の記録処理の後に行われる第２削除操作に応答して削除する第３削除手段、および
前記第３削除手段の削除処理によってユーザ名の割り当てが失われた記録コンテンツ識別ガイドを前記テーブルから削除する第４削除手段をさらに備える、請求項２記載のコンテンツ処理装置。
【請求項４】
複数のユーザ名を複数のボタンにそれぞれ対応付ける対応付け手段をさらに備え、
前記割り当て手段は前記複数のユーザ名のうち所望のユーザ名に対応付けられたボタンを押下する操作に応答して割り当て処理を実行する、請求項１ないし３のいずれかに記載のコンテンツ処理装置。
【請求項５】
前記第１出力手段は特定キーを押下する操作に応答して出力処理を実行する、請求項１ないし４のいずれかに記載のコンテンツ処理装置。
【請求項６】
前記第２出力手段は前記第１出力手段の出力処理中に前記特定キーを押下する操作に応答して出力処理を実行する、請求項５記載のコンテンツ処理装置。
【請求項７】
前記記録媒体に記録された放送コンテンツを再生する再生手段、および
前記再生手段によって再生された放送コンテンツに対応する記録コンテンツ識別ガイドにマーカを付与する付与手段をさらに備える、請求項１ないし６のいずれかに記載のコンテンツ処理装置。
【請求項８】
コンテンツ処理装置のプロセサに、
予約された放送コンテンツを識別する予約コンテンツ識別ガイドをテーブルに記述する記述ステップ、
前記テーブルに記述された予約コンテンツ識別ガイドにユーザ名を割り当てる割り当てステップ、
前記割り当てステップによって割り当てられたユーザ名を第１削除操作に応答して削除する第１削除ステップ、
前記第１削除ステップの削除処理によってユーザ名の割り当てが失われた予約コンテンツ識別ガイドを前記テーブルから削除する第２削除ステップ、
前記テーブルに記述された予約コンテンツ識別ガイドに従って放送コンテンツを記録媒体に記録する記録ステップ、
前記テーブルに記述された予約コンテンツ識別ガイドをユーザ名毎に出力する第１出力ステップ、および
前記記録媒体に記録された放送コンテンツを識別する記録コンテンツ識別ガイドをこれに対応する予約コンテンツ識別ガイドに割り当てられたユーザ名毎に出力する第２出力ステップを実行させるための、コンテンツ識別ガイド出力制御プログラム。
【請求項９】
コンテンツ処理装置によって実行されるコンテンツ識別ガイド出力制御方法であって、
予約された放送コンテンツを識別する予約コンテンツ識別ガイドをテーブルに記述する記述ステップ、
前記テーブルに記述された予約コンテンツ識別ガイドにユーザ名を割り当てる割り当てステップ、
前記割り当てステップによって割り当てられたユーザ名を第１削除操作に応答して削除する第１削除ステップ、
前記第１削除ステップの削除処理によってユーザ名の割り当てが失われた予約コンテンツ識別ガイドを前記テーブルから削除する第２削除ステップ、
前記テーブルに記述された予約コンテンツ識別ガイドに従って放送コンテンツを記録媒体に記録する記録ステップ、
前記テーブルに記述された予約コンテンツ識別ガイドをユーザ名毎に出力する第１出力ステップ、および
前記記録媒体に記録された放送コンテンツを識別する記録コンテンツ識別ガイドをこれに対応する予約コンテンツ識別ガイドに割り当てられたユーザ名毎に出力する第２出力ステップを備える、コンテンツ識別ガイド出力制御方法。
【発明の詳細な説明】
【技術分野】
【０００１】
この発明は、コンテンツ処理装置に関し、特にたとえば、ハードディスクレコーダに適用され、放送コンテンツの識別ガイドを出力する、コンテンツ処理装置に関する。
【背景技術】
【０００２】
従来のこの種の装置としては、特許文献１に開示されたものが知られている。この従来技術は、放送コンテンツの記録を予約する予約操作を受け付け、予約された放送コンテンツをハードディスクに記録する。ハードディスクに記録された放送コンテンツは、再生操作に応答して再生され、削除操作に応じて削除される。記録された放送コンテンツの識別子（タイトル）をユーザ別，曜日別といった複数のフォルダにより管理することで、再生や削除を行う際の操作性の向上を図っている。
【特許文献１】特開２００２−２９０９１６号公報〔Ｈ０４Ｎ ５／９２，５／７８，５／７６５，５／７８１，５／９１〕
【発明の開示】
【発明が解決しようとする課題】
【０００３】
しかし、従来技術では、放送コンテンツは記録されて初めて複数のフォルダによる管理の対象となるので、特に予約の際の操作性の向上が図られない。
【０００４】
それゆえに、この発明の主たる目的は、操作性を向上させることができる、コンテンツ処理装置を提供することである。
【課題を解決するための手段】
【０００５】
請求項１の発明に従うコンテンツ処理装置は、予約された放送コンテンツを識別する予約コンテンツ識別ガイドをテーブル(r3)に記述する記述手段(S29)、テーブルに記述された予約コンテンツ識別ガイドにユーザ名を割り当てる割り当て手段(S37)、割り当て手段によって割り当てられたユーザ名を第１削除操作に応答して削除する第１削除手段(S61)、第１削除手段の削除処理によってユーザ名の割り当てが失われた予約コンテンツ識別ガイドをテーブルから削除する第２削除手段(S65)、テーブルに記述された予約コンテンツ識別ガイドに従って放送コンテンツを記録媒体(22d)に記録する記録手段(S121~S131)、テーブルに記述された予約コンテンツ識別ガイドをユーザ名毎に出力する第１出力手段(S41,S43)、および記録媒体に記録された放送コンテンツを識別する記録コンテンツ識別ガイドをこれに対応する予約コンテンツ識別ガイドに割り当てられたユーザ名毎に出力する第２出力手段(S67,S69)を備える。
【０００６】
予約された放送コンテンツを識別する予約コンテンツ識別ガイドは、記述手段によってテーブルに記述される。割り当て手段は、テーブルに記述された予約コンテンツ識別ガイドにユーザ名を割り当てる。割り当て手段によって割り当てられたユーザ名は、第１削除操作が行われたとき第１削除手段によって削除される。第１削除手段の削除処理によってユーザ名の割り当てが失われた予約コンテンツ識別ガイドは、第２削除手段によってテーブルから削除される。
【０００７】
記録手段は、テーブルに記述された予約コンテンツ識別ガイドに従って、放送コンテンツを記録媒体に記録する。第１出力手段は、テーブルに記述された予約コンテンツ識別ガイドをユーザ名毎に出力する。また、第２出力手段は、記録媒体に記録された放送コンテンツを識別する記録コンテンツ識別ガイドをこれに対応する予約コンテンツ識別ガイドに割り当てられたユーザ名毎に出力する。
【０００８】
このように、記録コンテンツ識別ガイドは、関連するユーザ名毎に出力される。ユーザは、出力された記録コンテンツ識別ガイドを参照して第１削除操作を実行でき、予約の際の操作性が向上する。
【０００９】
請求項２の発明に従うコンテンツ処理装置は、請求項１に従属し、テーブルに記述された予約コンテンツ識別ガイドを記録手段の記録処理に応答して記録コンテンツ識別ガイドに変換する変換手段(S131)をさらに備える。
【００１０】
テーブルに記述された予約コンテンツ識別ガイドは、記録手段の記録処理が行われると、変換手段によって記録コンテンツ識別ガイドに変換される。
【００１１】
請求項３の発明に従うコンテンツ処理装置は、請求項２に従属し、割り当て手段によって割り当てられたユーザ名を記録手段の記録処理の後に行われる第２削除操作に応答して削除する第３削除手段(S97)、および第３削除手段の削除処理によってユーザ名の割り当てが失われた記録コンテンツ識別ガイドをテーブルから削除する第４削除手段(S101)をさらに備える。
【００１２】
割り当て手段によって割り当てられた所望のユーザ名は、記録手段の記録処理の後に第２削除操作が行われたとき第３削除手段によって削除される。第３削除手段の削除処理によってユーザ名の割り当てが失われた記録コンテンツ識別ガイドは、第４削除手段によってテーブルから削除される。
【００１３】
このように、予約コンテンツ識別ガイドもまた、関連するユーザ名毎に出力される。ユーザは、出力された予約コンテンツガイドを参照して第２削除操作を実行でき、記録コンテンツ削除の際の操作性が向上する。
【００１４】
請求項４の発明に従うコンテンツ処理装置は、請求項１ないし３のいずれかに従属し、複数のユーザ名を複数のボタン(32a,32b,…)にそれぞれ対応付ける対応付け手段(S9)をさらに備え、割り当て手段は複数のユーザ名のうち所望のユーザ名に対応付けられたボタンを押下する押下操作に応答して割り当て処理を実行する。
【００１５】
複数のユーザ名は、対応付け手段によって複数のボタン(32a,32b,…)にそれぞれ対応付けられる。割り当て処理は、複数のユーザ名のうち所望のユーザ名に対応付けられたボタンを押下する押下操作が行われたとき実行される。したがって、ユーザは、ボタンを押下することで簡単にユーザ名の割り当てが行える。
【００１６】
請求項５の発明に従うコンテンツ処理装置は、請求項１ないし４のいずれかに従属し、第１出力手段は特定キー(32e)を押下する操作に応答して出力処理を実行する。
【００１７】
第１出力手段の出力処理は、特定キーを押下する操作が行われたとき実行される。
【００１８】
請求項６の発明に従うコンテンツ処理装置は、請求項５に従属し、第２出力手段は第１出力手段の出力処理中に特定キーを押下する操作に応答して出力処理を実行する。
【００１９】
第２出力手段の出力処理は、第１出力手段の出力処理中に特定キーを押下する操作が行われたとき実行される。
【００２０】
したがって、単一の特定キーを繰り返し押下することで、予約コンテンツ識別ガイドおよび記録コンテンツ識別ガイドを交互に表示させることができ、この結果、操作性が一層向上する。
【００２１】
請求項７の発明に従うコンテンツ処理装置は、請求項１ないし６のいずれかに従属し、記録媒体に記録された放送コンテンツを再生する再生手段(S83〜S93)、および再生手段によって再生された放送コンテンツに対応する記録コンテンツ識別ガイドにマーカを付与する付与手段(S95)をさらに備える。
【００２２】
記録媒体に記録された放送コンテンツは、再生手段によって再生される。再生手段によって再生された放送コンテンツに対応する記録コンテンツ識別ガイドには、付与手段によってマーカが付与される。
【００２３】
したがって、マーカの有無で再生済みか否かがわかるので、操作性がより一層向上する。
【００２４】
請求項８の発明に従うコンテンツ識別ガイド出力制御プログラムは、コンテンツ処理装置(10) のプロセサ(26)に、予約された放送コンテンツを識別する予約コンテンツ識別ガイドをテーブル(r3)に記述する記述ステップ(S29)、テーブルに記述された予約コンテンツ識別ガイドにユーザ名を割り当てる割り当てステップ(S37)、割り当てステップによって割り当てられたユーザ名を第１削除操作に応答して削除する第１削除ステップ(S61)、第１削除ステップの削除処理によってユーザ名の割り当てが失われた予約コンテンツ識別ガイドをテーブルから削除する第２削除ステップ(S65)、テーブルに記述された予約コンテンツ識別ガイドに従って放送コンテンツを記録媒体(22d)に記録する記録ステップ(S121~S131)、テーブルに記述された予約コンテンツ識別ガイドをユーザ名毎に出力する第１出力ステップ(S41,S43)、および記録媒体に記録された放送コンテンツを識別する記録コンテンツ識別ガイドをこれに対応する予約コンテンツ識別ガイドに割り当てられたユーザ名毎に出力する第２出力ステップ(S67,S69)を実行させる。
【００２５】
請求項９の発明に従うコンテンツ識別ガイド出力制御方法は、コンテンツ処理装置(10)によって実行される方法であって、予約された放送コンテンツを識別する予約コンテンツ識別ガイドをテーブル(r3)に記述する記述ステップ(S29)、テーブルに記述された予約コンテンツ識別ガイドにユーザ名を割り当てる割り当てステップ(S37)、割り当てステップによって割り当てられたユーザ名を第１削除操作に応答して削除する第１削除ステップ(S61)、第１削除ステップの削除処理によってユーザ名の割り当てが失われた予約コンテンツ識別ガイドをテーブルから削除する第２削除ステップ(S65)、テーブルに記述された予約コンテンツ識別ガイドに従って放送コンテンツを記録媒体(22d)に記録する記録ステップ(S121~S131)、テーブルに記述された予約コンテンツ識別ガイドをユーザ名毎に出力する第１出力ステップ(S41,S43)、および記録媒体に記録された放送コンテンツを識別する記録コンテンツ識別ガイドをこれに対応する予約コンテンツ識別ガイドに割り当てられたユーザ名毎に出力する第２出力ステップ(S67,S69)を備える。
【発明の効果】
【００２６】
この発明によれば、操作性を向上させることができる。
【００２７】
この発明の上述の目的，その他の目的，特徴および利点は、図面を参照して行う以下の実施例の詳細な説明から一層明らかとなろう。
【発明を実施するための最良の形態】
【００２８】
図１を参照して、この実施例のハードディスクレコーダ１０は、ディジタルチューナ１２を含む。ディジタルチューナ１２へは、図示しないアンテナからディジタルテレビ放送用の高周波信号が入力される。ディジタルチューナ１２は、入力された高周波信号をベースバンド信号に変換し、変換されたベースバンド信号をＴＳ（Transport Stream）に復調する。そして、復調されたＴＳから特定チャネルに対応するＰＥＳ（Packetized Elementary Stream）を抽出する。
【００２９】
抽出されたＰＥＳは、ＭＰＥＧデコーダ１４に与えられる。ＭＰＥＧデコーダ１４は与えられたＰＥＳをデコードし、これにより得られた番組映像データが加算器１６を介してＮＴＳＣ（National Television Standards Committee）エンコーダ２０に与えられる。ＮＴＳＣエンコーダ２０は、与えられた番組映像データをＮＴＳＣ方式に従う映像信号に変換し、変換された映像信号を図示しないテレビモニタに向けて出力する。この結果、受信中の番組の映像がテレビモニタに表示される。
【００３０】
一方、ＰＥＳをデコードして得られるＥＰＧ（Electronic Program Guide）情報は、ＲＡＭ２８に一時記憶され、番組表を表示させる操作つまり番組表表示操作がリモコン３２によって行われたときキャラクタジェネレータ１８に与えられる。キャラクタジェネレータ１８は、与えられたＥＰＧ情報をキャラクタデータに変換する。変換されたキャラクタデータは、加算器１６を通してＮＴＳＣエンコーダ２０に与えられる。この結果、番組表が表示される。
【００３１】
なお、表示された番組表を利用するなどして、別のチャネルを選択する操作つまり選局操作がリモコン３２によって行われると、ＣＰＵ２６は、この選局操作に従う選局命令をディジタルチューナ１２に向けて発行する。この結果、新たに選局されたチャネルの番組映像が表示される。
【００３２】
また、表示された番組表を利用するなどして、所望の番組の記録を予約する操作つまり録画予約操作がリモコン３２によって行われると、ＣＰＵ２６は、ＥＰＧ情報からその番組の番組ガイドすなわち番組ＩＤ，チャネル，開始時刻，終了時刻，タイトルなどを抽出し、抽出された番組ガイドを番組ガイド管理テーブル（図４参照：後述）に登録する。番組ガイド管理テーブルは、フラッシュメモリ３０内のレジスタｒ３に保持されている。なお、レジスタｒ３は、フラッシュメモリ３０以外の書き換え可能な不揮発性メモリ（図示せず）に形成してもよい。
【００３３】
ＣＰＵ２６はまた、いずれかの番組の開始時刻が近づくと、その番組のチャネルを選局する選局命令をディジタルチューナ１２に向けて発行する。そして、開始時刻が到来したとき、ディジタルチューナ１２から出力されるＰＥＳの記録をＨＤＤ２２（hard disk drive）に命令する。応じてＨＤＤ２２は、ＰＥＳをＭＰＥＧファイル形式でハードディスク２２ｄに記録する処理を開始する。この記録処理は、終了時刻が到来すると停止される。これによって、所望の番組が録画される。
【００３４】
また、所望の録画番組を再生する操作つまり録画再生操作がリモコン３２によって行われると、ＣＰＵ２６は、この録画再生操作に従う再生命令をＨＤＤ２２に向けて発行する。ＨＤＤ２２は、選択された録画番組に対応するＭＰＥＧファイルをオープンし、オープンされたファイルに含まれるＰＥＳをハードディスク２２ｄから読み出す。読み出されたＰＥＳは、ＭＰＥＧデコーダ１４に与えられ、この結果、所望の録画番組の映像がテレビモニタに表示される。
【００３５】
ところで、ハードディスクレコーダ１０は、複数のユーザによって共用される場合、事前にユーザ登録を行うことで、予約された番組のリスト（以下“予約リスト”）あるいは録画済み番組のリスト（以下“録画リスト”）をユーザ毎に表示することができる。以下では、ＡＢＣ，ＫＬＭおよびＰＱＲの３人でハードディスクレコーダ１０を共用する場合のユーザ登録／リスト表示動作を説明する。
【００３６】
フラッシュメモリ３０には、前述のレジスタｒ３に加え、ユーザ数を示す数値を保持するためのレジスタｒ１と、ユーザ管理テーブルを保持するためのレジスタｒ２とが形成されている。
【００３７】
ユーザ登録は、次の手順で行われる。すなわち、リモコン３２によってユーザ設定開始操作が行われると、ユーザ数入力画面（図示せず）がテレビモニタに表示される。このユーザ数入力画面には、レジスタｒ１の保持値（デフォルト値は“１”）が記述される。ここでユーザ数として“３”がリモコン３２によって入力されると、レジスタｒ１の保持値は新たに入力された数値つまり“３”で上書きされ（図２参照）、画面上のユーザ数も“３”に更新される。
【００３８】
この状態でリモコン３２によって決定操作が行われると、表示画面はユーザ名入力画面（図示せず）に更新される。このユーザ名入力画面には、３人のユーザにそれぞれ割り当てられる青ボタン３２ａ，赤ボタン３２ｂおよび緑ボタン３２ｃを意味する“青”，“赤”および“緑”と、３人にそれぞれ付与されるデフォルトのユーザ名として“ユーザ１”，“ユーザ２”および“ユーザ３”とが記述される。この表示は、レジスタｒ２に保持されたユーザ管理テーブルに基づく。
【００３９】
ここで、青ボタン３２ａに割り当てる新たなユーザ名として“ＡＢＣ”がリモコン３２によって入力されると、ユーザ管理テーブルの“ユーザ１”は“ＡＢＣ”で上書きされ、画面上の“ユーザ１”も“ＡＢＣ”に更新される。３人分のユーザ名の入力が完了した時点で、レジスタｒ２には図３のようなユーザ管理テーブルが保持される結果となる。
【００４０】
この後、リモコン３２によって予約開始操作が行われると、番組表が表示され、番組選択操作が受け付けられる。ここで所望の番組がリモコン３２により選択されると、ＥＰＧ情報からその番組の番組ガイドだけが抽出される。抽出された番組ガイドは番組ガイド管理テーブル（図４参照）に登録され、そして図５のユーザ選択画面が表示される。
【００４１】
図５の画面には、青ボタン３２ａ，赤ボタン３２ｂおよび緑ボタン３２ｃがＡＢＣ，ＫＬＭおよびＰＱＲにそれぞれ割り当てられた旨が示される。ここでいずれかのカラーボタンが押下されると、押下されたカラーボタンに対応するユーザ名が、上記のようにして番組ガイド管理テーブルに登録された番組ガイドに割り当てられる。したがって、登録された各番組ガイドには、１つまたは複数のユーザ名が割り当てられる。そして、割り当てられた１つまたは複数のユーザ名の各々にフラグＦ（初期値は“０”）が付与される。フラグＦは、該当番組が録画されたとき“１”に変更され、さらに再生されたとき“２”に変更される（詳細は後述）。
【００４２】
番組ガイドに割り当てられたユーザ名およびこれに付与されたフラグＦは、該当ユーザによって予約取消操作ないしは録画番組削除操作が行われたとき削除される。これによりユーザ名の割り当てを失った番組ガイドは、番組ガイド管理テーブルから削除される。
【００４３】
このような処理の結果として、現在、図４のような番組ガイド管理テーブルがレジスタｒ３に保持されているとする。この番組ガイド管理テーブルは７つの番組にそれぞれ対応する７つの番組ガイドを含み、各番組ガイドには識別番号（１，２，…）が付与される。
【００４４】
例えば、識別番号が“１”の番組ガイド（以下“番組ガイド１”のように記述）には、ユーザ名として“ＡＢＣ”が割り当てられ、さらにこの“ＡＢＣ”にＦ＝１が割り当てられている。これにより、“番組ガイド１”に対応する番組“ＡＡＡ”は、ＡＢＣによって予約され、録画が実行されたものの未視聴であることが示される。
【００４５】
また、“番組ガイド２”には、ユーザ名として“ＡＢＣ”および“ＫＬＭ”が割り当てられ、さらにこの“ＡＢＣ”および“ＫＬＭ”に、フラグＦとして“１”および“１”がそれぞれ割り当てられている。これにより、“番組ガイド２”に対応する番組“ＢＢＢ”は、ＡＢＣおよびＫＬＭによって個別に予約され、録画されたものの両人とも未視聴であることが示される。
【００４６】
レジスタｒ３に図４の番組ガイド管理テーブルが保持された状態でリモコン３２のリストキー３２ｅが押下されると、この番組ガイド管理テーブルから、Ｆ＝０であって、かついずれか１つのユーザ名（ここでは“ＡＢＣ”）に対応する番組ガイドだけが抽出され、抽出された番組ガイドを記述した予約リスト画面（ＡＢＣ専用の予約リスト画面）が表示される（図６参照）。なお、予約リスト画面には、リモコン３２のボタンやキー（３２ａ〜３２ｅなど）に割り当てられた機能に関する記述が含まれる（図７等の録画リスト画面も同様）。
【００４７】
図６の画面を参照することで、ＡＢＣは、自分が“番組ガイド４”および“番組ガイド７”に対応する２つの番組すなわち“ＤＤＤ”および“ＧＧＧ”を予約したことがわかる。
【００４８】
図６の画面が表示された状態でリストキー３２ｅが押下されると、番組ガイド管理テーブルから、Ｆ＝１またはＦ＝２であって、かつ“ＡＢＣ”に対応する番組ガイドだけが抽出され、抽出された番組ガイドを記述した録画リスト画面（ＡＢＣ専用の録画リスト画面）が表示される（図７参照）。各番組ガイドには、フラグＦの値に従って、未視聴を示す“未”および視聴済みを示す“済”のいずれかが付加される。
【００４９】
図７の画面から、ＡＢＣは、自分が“番組ガイド１”および“番組ガイド２”に対応する２つの番組すなわち“ＡＡＡ”および“ＢＢＢ”を予約録画したが、どちらも未視聴であることがわかる。ここで、“ＡＡＡ”，“ＢＢＢ”，“ＤＤＤ”および“ＧＧＧ”が同種の番組である場合を想定すると、前の２番組が未視聴であることから、例えば、後の２番組の一方の予約を取り消したいという要求が生じ得る。この場合、ＡＢＣは、もう一度予約リスト画面を呼び出し、そこから“ＣＣＣ”に対応する“番組ガイド３”を削除すればよい。
【００５０】
図７の画面が表示された状態でリストキー３２ｅが押下されると、再びＡＢＣ専用の予約リスト画面が表示される（図８参照）。ここでリモコン３２のカーソル／決定キー（図示せず）により“ＤＤＤ”に対応する番組ガイド（つまり“番組ガイド４”）が選択されると、“ＤＤＤ”の予約を取り消すか否かを選択させるための選択ボックス５０が画面内に挿入される（図９参照）。
【００５１】
図９の画面が表示された状態でカーソル／決定キー操作により“予約取消”が選択されると、番組ガイド管理テーブル（図４参照）において“番組ガイド４”に割り当てられた“ＡＢＣ”が削除される。この結果、ＡＢＣによる“ＤＤＤ”の予約は取り消され、予約リスト画面は図１０のように更新される。図１０の画面では、“番組ガイド４”つまり“ＤＤＤ”に対応するガイドが削除されている。
【００５２】
なお、上記のようにして“ＡＢＣ”を削除しても、“番組ガイド４”にはまだ“ＫＬＭ”の割り当てが残っているため、“番組ガイド４”に対応する“ＤＤＤ”の録画は行われる。仮にこの後、さらに“ＫＬＭ”が削除され、“番組ガイド４”からユーザ名の割り当てが失われたとすると、“番組ガイド４”は番組ガイド管理テーブルから削除され、これにより“ＤＤＤ”の録画はキャンセルされる。
【００５３】
図１０の画面が表示された状態で赤ボタン３２ｂが押下されると、番組ガイド管理テーブル（図４参照：ただし“番組ガイド４”への“ＡＢＣ”の割り当ては失われている）から、Ｆ＝０であって、かつ“ＫＬＭ”に対応する番組ガイドだけが抽出され、抽出された番組ガイドを記述したＫＬＭ専用の予約リスト画面が表示される（図１１参照）。
【００５４】
図１１の画面を参照することで、ＫＬＭは、自分が“ＤＤＤ”および“ＦＦＦ”を予約したことがわかる。なお、ＡＢＣ専用の予約リスト画面上で“ＤＤＤ”の予約が取り消されたことは、ＫＬＭ専用の予約リスト画面には何ら影響しない。
【００５５】
図１１の画面が表示された状態でリストキー３２ｅが押下されると、番組ガイド管理テーブルから、Ｆ＝１またはＦ＝２であって、かつ“ＫＬＭ”に対応する番組ガイドだけが抽出され、抽出された番組ガイドを記述したＫＬＭ専用の録画リスト画面が表示される（図１２参照）。
【００５６】
図１２の画面から、ＫＬＭは、自分が“ＢＢＢ”および“ＣＣＣ”を予約録画し、後者を視聴したが、前者は未視聴であることがわかる。ここでは、“ＤＤＤ”および“ＦＦＦ”の予約があることから、例えば空き容量を確保するといった目的で、視聴済みの“ＣＣＣ”を削除したいという要求が生じ得る。それには、録画リスト画面から“ＣＣＣ”に対応する番組ガイド（すなわち“番組ガイド３”）を削除すればよい。
【００５７】
図１２の画面が表示された状態でカーソル／決定キー操作により“番組ガイド３”が選択されると、“ＣＣＣ”を削除するか否かを選択させるための選択ボックス５２が画面内に挿入される（図１３参照）。
【００５８】
図１３の画面が表示された状態でカーソル／決定キー操作により“削除”が選択されると、番組ガイド管理テーブル（図４参照）において“番組ガイド３”に割り当てられた“ＫＬＭ”が削除される。この結果、ＫＬＭによって予約録画された“ＣＣＣ”は削除され、録画リスト画面は図１４のように更新される。図１４の画面では、“番組ガイド３”つまり“ＣＣＣ”に対応するガイドが削除されている。
【００５９】
なお、この場合、“ＫＬＭ”を削除したことで“番組ガイド３”へのユーザ名の割り当てがゼロになったため、単にＫＬＭ専用の録画リスト画面から“ＣＣＣ”に対応するガイドが削除されただけでなく、“ＣＣＣ”に対応するＭＰＥＧファイル自体がハードディスク２２ｄから削除される結果となる。
【００６０】
図１４の画面が表示されるに至ったとき、図４の番組ガイド管理テーブルは図１５のように更新されている。図１５のテーブルでは、“番組ガイド３”が削除され、また“番組ガイド４”に割り当てられた“ＡＢＣ”が削除されている。
【００６１】
このように、ハードディスクレコーダ１０では、予約リストおよび録画リストの両方がユーザ別に表示されるので、各ユーザは、自分用の録画リストを参照して予約の取消操作が行え、また自分用の予約リストを参照して録画番組削除操作が行える。これにより、複数のユーザによって共有される場合の操作性が向上する。
【００６２】
以上のようなユーザ登録／リスト表示動作を行うに当たり、ＣＰＵ２６は、μＩＴＲＯＮなどのマルチタスクＯＳの制御下で、図１６〜図２１のフローに従うメインタスクと、図２２のフローに従う録画タスクとを並列的に処理する。なお、これらのフロー図に対応するプログラムはＲＯＭ２４に格納されている。
【００６３】
最初、メインタスクについて説明する。図１６を参照して、まずステップＳ１で初期処理を実行する。初期処理では、全てのフラグＦに“０”を設定し、また“現ユーザ名”に“ユーザ１”を設定する。ここで“現ユーザ名”は、現在選択されているユーザ名を示す変数であり、ＲＡＭ２８に保持される。初期処理が完了するとステップＳ３〜Ｓ７のループに入る。ステップＳ３ではユーザ設定開始操作の有無を判別し、ステップＳ５では予約開始操作の有無を判別し、ステップＳ７ではリスト表示操作の有無を判別する。
【００６４】
リモコン３２によってユーザ登録開始操作が行われると、ステップＳ３でＹＥＳと判別し、ステップＳ９に移ってユーザ設定処理（後述）を実行する。その後、ステップＳ３〜Ｓ７のループに戻る。リモコン３２によって予約開始操作が行われると、ステップＳ５でＹＥＳと判別し、ステップＳ１１に移って予約処理（後述）を実行する。その後、ステップＳ３〜Ｓ７のループに戻る。リモコン３２のリストキー３２ｅを押下するリスト表示操作が行われると、ステップＳ７でＹＥＳと判別し、ステップＳ１３に移ってリスト表示および関連処理（後述）を実行する。その後、ステップＳ３〜Ｓ７のループに戻る。
【００６５】
ステップＳ９のユーザ登録処理は、例えば次の手順で実行される。まず、キャラクタジェネレータ１８，加算器１６およびＮＴＳＣエンコーダ２０を通してユーザ数入力画面（図示せず）を表示する。ユーザ数入力画面には、レジスタｒ１の保持値つまり現在のユーザ数（初期値は“１”）が記述される。リモコン３２によってユーザ数入力操作が行われると、レジスタｒ１の保持値を新たに入力された数値に更新する。以下では、レジスタｒ１に“３”が保持されたものとする（図２参照）
次に、キャラクタジェネレータ１８等を通してユーザ名入力画面（図示せず）を表示する。この表示は、レジスタｒ２のユーザ管理テーブルに基づく。ユーザ管理テーブルには、リモコン３２の青ボタン３２ａ，赤ボタン３２ｂおよび緑ボタン３２ｃにそれぞれ対応する３人分のユーザ名（初期値は“ユーザ１”，“ユーザ２”および“ユーザ３”）が登録されている。リモコン３２によってユーザ名入力操作が行われると、ユーザ管理テーブルに保持されたユーザ名を新たに入力されたユーザ名に更新する。以下では、“ＡＢＣ”，“ＫＬＭ”および“ＰＱＲ”が登録されたものとする（図３参照）。
【００６６】
ステップＳ１１の予約処理は、詳しくは、図１７のサブルーチンに従う。図１７を参照して、まずステップＳ２１で、キャラクタジェネレータ１８等を通して番組表を表示する。この表示は、ＲＡＭ２８に保持されたＥＰＧ情報に基づく。そしてステップＳ２３に移り、番組選択操作の有無を判別する。
【００６７】
リモコン３２によっていずれかの番組が選択されると、ステップＳ２３でＹＥＳと判別し、ステップＳ２５に移って、選択された番組が予約可能か否かを判別する。選択された番組の録画期間（すなわち開始時刻から終了時刻までの期間）が予約済みの番組の録画期間と何ら重複していなければ、ステップＳ２５でＹＥＳと判別し、ステップＳ２９に進む。選択された番組の録画期間が予約済みの番組の録画期間と一部でも重複していれば、ステップＳ２５からステップＳ２７に移ってエラー画面（図示せず）を表示し、そしてステップＳ２３に戻る。
【００６８】
ステップＳ２９では、ＲＡＭ２８内のＥＰＧ情報からその番組の番組ガイドだけを抽出し、抽出された番組ガイドをレジスタｒ３の番組ガイド管理テーブル（図４参照）に登録する。続くステップＳ３１では、キャラクタジェネレータ１８等を通してユーザ選択画面（図５参照）を表示する。この表示は、レジスタｒ２のユーザ管理テーブル（図３参照）に基づく。続くステップＳ３３では、ユーザ選択操作の有無を判別する。リモコン３２の青ボタン３２ａ，赤ボタン３２ｂおよび緑ボタン３２ｃのいずれかが押下されると、ステップＳ３３でＹＥＳと判別し、ステップＳ３５に移る。ステップＳ３５では、押下されたカラーボタンに対応するユーザ名を“現ユーザ名”にセットする。続くステップＳ３７では、ステップＳ２９で登録された番組ガイドに現ユーザ名を割り当てる。続くステップＳ３９では、割り当てられたユーザ名にフラグＦ（＝０）を付加し、そして上位層のルーチンに復帰する。
【００６９】
ステップＳ１３のリスト表示および関連処理は、詳しくは、図１８〜図２１のサブルーチンに従う。図１８を参照して、まずステップＳ４１で、レジスタｒ３の番組ガイド管理テーブル（図４参照）から、現ユーザ名（ただしＦ＝０）が割り当てられた番組ガイドだけを抽出する。したがって例えば、現ユーザ名が“ＡＢＣ”であれば、“番組ガイド４”および“番組ガイド７”が抽出される。
【００７０】
続くステップＳ４３では、抽出された番組ガイドが記述された予約リスト画面（例えばＡＢＣ専用の予約リスト画面：図６参照）をキャラクタジェネレータ１８等を通して表示する。そしてステップＳ４５〜Ｓ５１のループに入る。ステップＳ４５ではユーザ名選択操作の有無を判別し、ステップＳ４７では番組ガイド選択操作の有無を判別し、ステップＳ４９では表示リスト切り換え操作の有無を判別し、そしてステップＳ５１では復帰操作の有無を判別する。
【００７１】
あるユーザ専用の予約リスト画面（例えば図６参照）が表示された状態で青ボタン３２ａ，赤ボタン３２ｂおよび緑ボタン３２ｃのいずれかが押下されると、ステップＳ４５でＹＥＳと判別し、ステップＳ５２に移る。ステップＳ５２では、押下されたカラーボタンに対応するユーザ名を“現ユーザ名”にセットする。続くステップＳ５３では、現ユーザ名（ただしＦ＝０）が割り当てられた番組ガイドだけを番組ガイド管理テーブルから抽出し、そしてステップＳ４１に戻る。これにより、例えば赤ボタン３２ｂが押下された場合には、表示画面はＫＬＭ専用の予約リスト画面（例えば図１１参照）に更新される。
【００７２】
あるユーザ専用の予約リスト画面（例えば図６参照）が表示された状態でリモコン３２によって予約リストから所望の番組ガイドが選択されると（図８参照）、ステップＳ４７からステップＳ５５に移る。図１９を参照して、ステップＳ５５では、予約リスト画面内に選択ボックス５０を挿入し（図９参照）、そしてステップＳ５７およびＳ５９のループに入る。ステップＳ５７では予約取消操作の有無を判別し、ステップＳ５９では、復帰操作の有無を判別する。ステップＳ５９でＹＥＳであれば（すなわち選択ボックス５０で“キャンセル”が選択されると）、ステップＳ４５〜Ｓ５１のループに戻る。
【００７３】
ステップＳ５７でＹＥＳであれば（すなわち選択ボックス５０で“予約取消”が選択されると）ステップＳ６１に移って、該当番組ガイドから現ユーザ名と同じユーザ名（およびこれに付与されたフラグＦ）を削除する。続くステップＳ６３では、該当ユーザ名に他のユーザ名の割り当てが残されているか否かを判別し、ここでＹＥＳであればステップＳ４５〜Ｓ５１のループに戻る。
【００７４】
ステップＳ６３でＮＯであればステップＳ６５に移って、番組ガイド管理テーブル（図４参照）から該当番組ガイドを削除する。この結果、例えば図９の予約リスト画面は、図１０の予約リスト画面に更新される。この後、ステップＳ４５〜Ｓ５１のループに戻る。
【００７５】
あるユーザ専用の予約リスト画面（例えばＡＢＣ専用の予約リスト画面：図６参照）が表示された状態でリモコン３２のリストキー３２ｅが押下されると、ステップＳ４９でＹＥＳと判別し、ステップＳ６７に移る。図２０を参照して、ステップＳ６７では、番組ガイド管理テーブル（図４参照）から現ユーザ名（ただしＦ＝１またはＦ＝２）が割り当てられた番組ガイドだけを抽出する。
【００７６】
続くステップＳ６９では、抽出された番組ガイドが記述された録画リスト画面（例えばＡＢＣ専用の録画リスト画面：図７参照）をキャラクタジェネレータ１８等を通して表示する。そしてステップＳ７１〜Ｓ７７のループに入る。ステップＳ７１ではユーザ名選択操作の有無を判別し、ステップＳ７３では番組ガイド選択操作の有無を判別し、ステップＳ７５では表示リスト切り換え操作の有無を判別し、そしてステップＳ７７では復帰操作の有無を判別する。
【００７７】
あるユーザ専用の録画リスト画面（例えば図７参照）が表示された状態で青ボタン３２ａ，赤ボタン３２ｂおよび緑ボタン３２ｃのいずれかが押下されると、ステップＳ７１でＹＥＳと判別し、ステップＳ７９に移る。ステップＳ７９では、押下されたカラーボタンに対応するユーザ名を“現ユーザ名”にセットし、そしてステップＳ６７に戻る。これにより、例えば赤ボタン３２ｂが押下された場合には、表示画面はＫＬＭ専用の録画リスト画面（図１２参照）に更新される。
【００７８】
あるユーザ専用の録画リスト画面（例えば図７参照）が表示された状態でリモコン３２によって録画リストから所望の番組ガイドが選択されると（図１２参照）、ステップＳ７３からステップＳ８１に移る。図２１を参照して、ステップＳ８１では、予約リスト画面内に選択ボックス５２を挿入し（図１３参照）、そしてステップＳ８３〜Ｓ８７のループに入る。ステップＳ８３では再生操作の有無を判別し、ステップＳ８５では復帰操作の有無を判別し、そしてステップＳ８７では削除操作の有無を判別する。
【００７９】
ステップＳ８３でＹＥＳであれば（すなわち選択ボックス５２で“再生”が選択されると）、ステップＳ８９に移って該当番組の再生開始をＨＤＤ２２に命令し、その後ステップＳ９１に移る。ステップＳ９１では、停止操作ないしは末尾検出の有無を判別する。リモコン３２によって停止操作が行われるか、あるいはＭＰＥＧデコーダ１４を通して該当番組の末尾位置を検出すると、ステップＳ９１からステップＳ９３に移り、該当番組の再生停止をＨＤＤ２２に命令する。そして、ステップ９５で該当フラグＦに“２”をセットし、上位層のルーチンに復帰する。
【００８０】
ステップＳ８５でＹＥＳであれば（すなわち選択ボックス５２で“キャンセル”が選択されると）、ステップＳ７１〜Ｓ７７のループに戻る。
【００８１】
ステップＳ８７でＹＥＳであれば（すなわち選択ボックス５２で“削除”が選択されると）、ステップＳ９７に移って、該当番組ガイドから現ユーザ名と同じユーザ名（およびこれに付与されたフラグＦ）を削除する。続くステップＳ９９では、該当番組ガイドにユーザ名の割り当てが残っているか否かを判別し、ここでＹＥＳであればステップＳ７１〜Ｓ７７のループに戻る。
【００８２】
ステップＳ９９でＮＯであれば、ステップＳ１０１に移って、番組ガイド管理テーブル（図４参照）から該当番組ガイドを削除し、続くステップＳ１０３では該当番組の削除をＨＤＤ２２に命令する。これにより、該当番組に対応するＭＰＥＧファイルがハードディスク２２ｄから削除され、録画リスト画面は図１４のように更新される。この後、ステップＳ７１〜Ｓ７７のループに戻る。
【００８３】
図２０に戻って、ステップＳ７５でＹＥＳであれば（すなわちあるユーザ専用の録画リスト画面が表示された状態でリストキー３２ｅが押下されると）、ステップＳ４１に戻る。この結果、例えばＡＢＣ専用の録画リスト画面（図７参照）は、ＡＢＣ専用の予約リスト画面（図６参照）に更新される。また、ステップＳ７７でＹＥＳであれば、上位層のルーチンに復帰する。
【００８４】
図１８に戻って、ステップＳ５１でＹＥＳであれば、上位層のルーチンに復帰する。
【００８５】
次に、録画タスクについて説明する。図２２を参照して、まずステップＳ１２１で、レジスタｒ３の番組ガイド管理テーブルを参照して、開始時刻が現時刻と一致する番組ガイドの有無を判別する。ここでＹＥＳであればステップＳ１２３に移って、その番組ガイドに記述されたチャネルに従う選局をディジタルチューナ１２に命令する。続くステップＳ１２５では、ディジタルチューナ１２から出力されるＰＥＳの記録開始をＨＤＤ２２に命令し、その後ステップＳ１２７に移る。
【００８６】
ステップＳ１２７では、現時刻がその番組ガイドに記述された終了時刻と一致するか否かを判別し、ここでＹＥＳであれば、ステップＳ１２９で記録停止をＨＤＤ２２に命令する。そしてステップＳ１３１で、その番組ガイドに割り当てられた全てのフラグＦに“１”をセットし、上位層のルーチンに復帰する。
【００８７】
以上から明らかなように、この実施例では、ＣＰＵ２６は、予約された放送コンテンツ（番組）を識別する予約コンテンツ識別ガイド（番組ガイド）をレジスタｒ３のテーブル（番組ガイド管理テーブル）に記述し（Ｓ２９）、記述された予約コンテンツ識別ガイドにユーザ名を割り当てる（Ｓ３７）。この割り当て処理は、複数のカラーボタン（青ボタン３２ａ，赤ボタン３２ｂ，…）のいずれかを押下する操作に応答して実行される。
【００８８】
また、割り当てられたユーザ名を第１削除操作（予約取消操作）に応答して削除し（Ｓ６１）、この削除処理によってユーザ名の割り当てが失われた予約コンテンツ識別ガイドをテーブルから削除する（Ｓ６５）。そして、テーブルに記述された予約コンテンツ識別ガイドに従って放送コンテンツを記録媒体（ハードディスク２２ｄ）に記録する（Ｓ１２１〜Ｓ１２９）。
【００８９】
さらに、割り当てられたユーザ名を記録処理の後に行われる第２削除操作（録画番組削除操作）に応答して削除し（Ｓ９７）、この削除処理によってユーザ名の割り当てが失われた記録コンテンツ識別ガイドをテーブルから削除する（Ｓ１０１）。
【００９０】
このような予約の取り消しまたは記録コンテンツの削除に関連して、リストキー３２ｅが押下されると、テーブルに記述された予約コンテンツ識別ガイドをユーザ名毎に出力し（Ｓ４１，Ｓ４３）、もう一度リストキー３２ｅが押下されると、記録された放送コンテンツを識別する記録コンテンツ識別ガイドをこれに対応する予約コンテンツ識別ガイドに割り当てられたユーザ名毎に出力する（Ｓ６７，Ｓ６９）。
【００９１】
したがって、記録コンテンツ識別ガイドは、関連するユーザ名毎に出力される（図７参照）。ユーザ（ＡＢＣ）は、出力された記録コンテンツ識別ガイドを参照して第１削除操作つまり予約を取り消す操作を実行でき（図９参照）、予約の際の操作性が向上する。予約コンテンツ識別ガイドもまた、関連するユーザ名毎に出力される（図１１参照）。ユーザ（ＫＬＭ）は、出力された予約コンテンツガイドを参照して第２削除操作つまり録画番組を削除する操作を実行でき（図１３参照）、記録コンテンツ削除の際の操作性が向上する。
【００９２】
なお、この実施例では、予約コンテンツ識別ガイドと記録コンテンツ識別ガイドとを異なるタイミングで出力したが、同時に出力してもよい。
【００９３】
特に、予約コンテンツ識別ガイドと記録コンテンツ識別ガイドとをリストキー３２ｅの繰り返し押下操作に応答して交互に出力したが、予約コンテンツ識別ガイドを出力するためのボタンと、記録コンテンツ識別ガイドを出力するためのボタンとを用いてもよい。または、専用のキーやボタンは用いず、メニュー操作に従って出力してもよい。
【００９４】
また、この実施例では、ＥＰＧ情報からチャネル，開始時刻および終了時刻を抽出して予約を行ったが、これらをリモコン３２によって手入力しても、あるいは番組コードを手入力または光学的に読み取ってもよい。
【００９５】
また、ハードディスクレコーダ１０は、ディジタルチューナ１２に代えて、またはこれに加えて、アナログチューナを備えていてもよい。
【図面の簡単な説明】
【００９６】
【図１】この発明の一実施例の構成を示すブロック図である。
【図２】図１実施例に適用されるメモリマップの一部を示す図解図である。
【図３】図１実施例に適用されるメモリマップの他の一部を示す図解図である。
【図４】図１実施例に適用されるメモリマップのその他の一部を示す図解図である。
【図５】図１実施例に適用される表示画面の一例を示す図解図である。
【図６】図１実施例に適用される表示画面の他の一例を示す図解図である。
【図７】図１実施例に適用される表示画面のその他の一例を示す図解図である。
【図８】図１実施例に適用される表示画面のさらにその他の一例を示す図解図である。
【図９】図１実施例に適用される表示画面の他の一例を示す図解図である。
【図１０】図１実施例に適用される表示画面のその他の一例を示す図解図である。
【図１１】図１実施例に適用される表示画面のさらにその他の一例を示す図解図である。
【図１２】図１実施例に適用される表示画面の他の一例を示す図解図である。
【図１３】図１実施例に適用される表示画面のその他の一例を示す図解図である。
【図１４】図１実施例に適用される表示画面のさらにその他の一例を示す図解図である。
【図１５】図１実施例に適用されるメモリマップのさらにその他の一部を示す図解図である。
【図１６】図１実施例に適用されるＣＰＵ処理の一部を示すフロー図である。
【図１７】図１実施例に適用されるＣＰＵ処理の他の一部を示すフロー図である。
【図１８】図１実施例に適用されるＣＰＵ処理のその他の一部を示すフロー図である。
【図１９】図１実施例に適用されるＣＰＵ処理のさらにその他の一部を示すフロー図である。
【図２０】図１実施例に適用されるＣＰＵ処理の他の一部を示すフロー図である。
【図２１】図１実施例に適用されるＣＰＵ処理のその他の一部を示すフロー図である。
【図２２】図１実施例に適用されるＣＰＵ処理のさらにその他の一部を示すフロー図である。
【符号の説明】
【００９７】
１０…ハードディスクレコーダ
１２…ディジタルチューナ
１４…ＭＰＥＧデコーダ
１６…加算器
１８…キャラクタジェネレータ
２０…ＮＴＳＣエンコーダ
２２…ハードディスクドライブ（ＨＤＤ）
２２ｄ…ハードディスク
２６…ＣＰＵ
３０…フラッシュメモリ
ｒ１〜ｒ３…レジスタ
３２…リモコン
３２ａ〜３２ｄ…カラー（青，赤，緑，黄）ボタン
３２ｅ…リストキー
【図１】
2007243847.tif 000003
【図２】
2007243847.tif 000004
【図３】
2007243847.tif 000005
【図４】
2007243847.tif 000006
【図５】
2007243847.tif 000007
【図６】
2007243847.tif 000008
【図７】
2007243847.tif 000009
【図８】
2007243847.tif 000010
【図９】
2007243847.tif 000011
【図１０】
2007243847.tif 000012
【図１１】
2007243847.tif 000013
【図１２】
2007243847.tif 000014
【図１３】
2007243847.tif 000015
【図１４】
2007243847.tif 000016
【図１５】
2007243847.tif 000017
【図１６】
2007243847.tif 000018
【図１７】
2007243847.tif 000019
【図１８】
2007243847.tif 000020
【図１９】
2007243847.tif 000021
【図２０】
2007243847.tif 000022
【図２１】
2007243847.tif 000023
【図２２】
2007243847.tif 000024